(57)【要約】【課題】高温多湿条件下でも金属電極の信頼性を具現することができ、経済性の面で有利な効果を奏するタッチセンサを提供する。【解決手段】本発明のタッチセンサ１００は、ベース基板１０と、ベース基板１０の一面に形成され、金属細線が互いに交差してなる電極パターン２０と、電極パターン２０上に形成された第１保護層３１と、を含み、第１保護層３１は、複素環化合物（ｈｅｔｅｒｏｃｙｃｌｅ  ｃｏｍｐｏｕｎｄ）を含有するものである。【選択図】図１
2015072677.tif 000002
【特許請求の範囲】
【請求項１】
ベース基板と、
前記ベース基板の一面に形成され、金属細線が互いに交差してなる電極パターンと、
前記電極パターン上に形成された第１保護層と、を含み、
前記第１保護層は、複素環化合物（ｈｅｔｅｒｏｃｙｃｌｅ  ｃｏｍｐｏｕｎｄ）を含有する、タッチセンサ。
【請求項２】
前記複素環化合物は、イミダゾール（ｉｍｉｄａｚｏｌｅ）、アゾール（ａｚｏｌｅ）、チオール（ｔｈｉｏｌ）およびアミン（ａｍｉｎｅ）系からなる群から選択される一つ以上のものである、請求項１に記載のタッチセンサ。
【請求項３】
前記複素環化合物は、下記化学式１で表されるベンゾイミダゾール誘導体または下記化学式２で表されるベンゾトリアゾール誘導体である、請求項２に記載のタッチセンサ。
【化１】
2015072677.tif 000011
ここで、Ｒ１は、アルキル基（ＣｎＨ２ｎ＋１、ｎは、１〜５の整数である。）またはアリール基（Ａｒ−）であり、
【化２】
2015072677.tif 000012
Ｒ２は、水素（Ｈ）またはエステル基（ＣＯＯＣＨ３）であり、Ｒ３は、メチル基（ＣＨ３）またはカルボキシル基（ＣＯＯＨ）である。
【請求項４】
前記電極パターンは、ベース基板の一面に形成された第１電極パターンと、前記ベース基板の他面に形成された第２電極パターンと、を含む、請求項１に記載のタッチセンサ。
【請求項５】
前記第１保護層が形成された電極パターンの全面に第２保護層が形成されている、請求項１に記載のタッチセンサ。
【請求項６】
前記第１保護層は、複素環化合物であるイミダゾール（ｉｍｉｄａｚｏｌｅ）、アゾール（ａｚｏｌｅ）、チオール（ｔｈｉｏｌ）およびアミン（ａｍｉｎｅ）系からなる群から選択される一つ以上のものである、請求項５に記載のタッチセンサ。
【請求項７】
前記複素環化合物は、下記化学式１で表されるベンゾイミダゾール誘導体または下記化学式２で表されるベンゾトリアゾール誘導体である、請求項６に記載のタッチセンサ。
【化３】
2015072677.tif 000013
ここで、Ｒ１は、アルキル基（ＣｎＨ２ｎ＋１、ｎは、１〜５の整数である。）またはアリール基（Ａｒ−）であり、
【化４】
2015072677.tif 000014
Ｒ２は、水素（Ｈ）またはエステル基（ＣＯＯＣＨ３）であり、Ｒ３は、メチル基（ＣＨ３）またはカルボキシル基（ＣＯＯＨ）である。
【請求項８】
前記第２保護層は、アクリル、エポキシ、ウレタン、ポリメチルメタクリレート、ポリカーボネートおよびポリビニルアセテートからなる群から選択される一つ以上のものである、請求項５に記載のタッチセンサ。
【請求項９】
前記第１保護層が形成された電極パターン上に設けられた接着層をさらに含み、
前記ベース基板および接着層を含む側面に第３保護層が形成されている、請求項１に記載のタッチセンサ。
【請求項１０】
前記第１保護層は、複素環化合物であるイミダゾール（ｉｍｉｄａｚｏｌｅ）、アゾール（ａｚｏｌｅ）、チオール（ｔｈｉｏｌ）およびアミン（ａｍｉｎｅ）系からなる群から選択される一つ以上のものである、請求項９に記載のタッチセンサ。
【請求項１１】
前記複素環化合物は、下記化学式１で表されるベンゾイミダゾール誘導体または下記化学式２で表されるベンゾトリアゾール誘導体である、請求項１０に記載のタッチセンサ。
【化５】
2015072677.tif 000015
ここで、Ｒ１は、アルキル基（ＣｎＨ２ｎ＋１、ｎは、１〜５の整数である。）またはアリール基（Ａｒ−）であり、
【化６】
2015072677.tif 000016
Ｒ２は、水素（Ｈ）またはエステル基（ＣＯＯＣＨ３）であり、Ｒ３は、メチル基（ＣＨ３）またはカルボキシル基（ＣＯＯＨ）である。
【請求項１２】
前記第３保護層は、液状のアクリル、エポキシおよびウレタン系からなる群から選択される一つ以上のものである、請求項９に記載のタッチセンサ。
【発明の詳細な説明】
【技術分野】
【０００１】
本発明は、タッチセンサに関する。
【背景技術】
【０００２】
スマートフォン（ｓｍａｒｔ  ｐｈｏｎｅ）の大衆化に伴いタッチセンサの使容量が急速に増加しており、モニタ、テレビ（ＴＶ）など、従来、タッチセンサが用いられなかった分野にもタッチセンサの導入が加速化している。
【０００３】
現在、タッチセンサのための透明電極として広く用いられている酸化インジウムスズ（ｉｎｄｉｕｍ  ｔｉｎ  ｏｘｉｄｅ、ＩＴＯ）は、高コスト、制限された供給量および高抵抗によって大型のタッチセンサの具現が困難であるという指摘を受けている。
【０００４】
そのため、様々な形態の新たなタッチセンサ（ｔｏｕｃｈ  ｓｅｎｓｏｒ）が提案されており、その中でもメタルメッシュ（ｍｅｔａｌ  ｍｅｓｈ）は、抵抗が低いという利点により大面積のタッチセンサに適合するが、パターン（ｐａｔｔｅｒｎ）の不透明性によって視認性に劣り、水分に敏感であるため酸化されやすいという欠点がある。
【０００５】
金属パターンの酸化を防止するためには、透明で透湿性が低い液状材料やフィルムをパターンの全面にコーティング、プリンティングまたは積層（ｌａｍｉｎａｔｉｏｎ）する方法が広く用いられてきた。
【０００６】
液晶表示装置（ｌｉｑｕｉｄ  ｃｒｙｓｔａｌ  ｄｉｓｐｌａｙ、ＬＣＤ）、有機発光ダイオード（ｏｒｇａｎｉｃ  ｌｉｇｈｔ  ｅｍｉｔｔｉｎｇ  ｄｉｏｄｅ、ＯＬＥＤ）など、フラットパネル表示装置（ｆｌａｔ  ｐａｎｅｌ  ｄｉｓｐｌａｙ）において用いられる防湿フィルムは、透湿度（ｗａｔｅｒ  ｖａｐｏｒ  ｔｒａｎｓｍｉｓｓｉｏｎ  ｒａｔｅ）が１０−１〜１０−４ｇ／ｍ２・ｄａｙ程度と低い、いわゆる密封（ｈｅｒｍｅｔｉｃ  ｓｅａｌｉｎｇ）材料であって、水分および酸素のバリア（ｂａｒｒｉｅｒ）特性に優れるが、コストが高い点から、相対的に安価のタッチセンサや大面積のタッチセンサへの適用が困難である。
【０００７】
一方、特許文献１に記載の発明では、静電容量型タッチスクリーンパネルにおいて、透明電極パターンが外部から流入される水分および異物と腐食に弱い点を補うことに限界があり、透明電極パターンに水分が浸透することで高温多湿での耐環境性および耐浸湿性に弱いという問題があった。
【先行技術文献】
【特許文献】
【０００８】
【特許文献１】韓国登録特許第１２４６３５１号公報
【発明の概要】
【発明が解決しようとする課題】
【０００９】
本発明は、上述した従来技術の問題点を解決するためのものであり、本発明が解決しようとする課題は、金属電極を適用したタッチセンサにおいて、経済性に優れた複素環化合物（ｈｅｔｅｒｏｃｙｃｌｅ  ｃｏｍｐｏｕｎｄ）を第１保護層に含有させて高温多湿条件下でも金属電極の信頼性を具現できるタッチセンサを提供することにある。
【００１０】
したがって、本発明の目的は、金属電極上に第１保護層を形成して、高温多湿条件下でも金属電極の信頼性を具現できるタッチセンサを提供することにある。
【課題を解決するための手段】
【００１１】
本発明の目的を達成するためのタッチセンサ（以下、「第１発明」とする）は、ベース基板と、前記ベース基板の一面に形成され、金属細線が互いに交差してなる電極パターンと、前記電極パターン上に形成された第１保護層と、を含み、前記第１保護層は、複素環化合物（ｈｅｔｅｒｏｃｙｃｌｅ  ｃｏｍｐｏｕｎｄ）を含有する。
【００１２】
第１発明において、前記複素環化合物は、イミダゾール（ｉｍｉｄａｚｏｌｅ）、アゾール（ａｚｏｌｅ）、チオール（ｔｈｉｏｌ）およびアミン（ａｍｉｎｅ）系からなる群から選択される一つ以上のものである。
【００１３】
第１発明において、前記複素環化合物は、下記化学式１で表されるベンゾイミダゾール誘導体または下記化学式２で表されるベンゾトリアゾール誘導体である。
【００１４】
【化１】
2015072677.tif 000003
【００１５】
ここで、Ｒ１は、アルキル基（ＣｎＨ２ｎ＋１、ｎは、１〜５の整数である。）またはアリール基（Ａｒ−）であり、
【００１６】
【化２】
2015072677.tif 000004
【００１７】
Ｒ２は、水素（Ｈ）またはエステル基（ＣＯＯＣＨ３）であり、Ｒ３は、メチル基（ＣＨ３）またはカルボキシル基（ＣＯＯＨ）である。
【００１８】
第１発明において、前記電極パターンは、ベース基板の一面に形成された第１電極パターンと、前記ベース基板の他面に形成された第２電極パターンと、を含む。
【００１９】
第１発明において、前記第１保護層が形成された電極パターンの全面に第２保護層が形成されている（以下、「第２発明」とする）。
【００２０】
第２発明において、前記第１保護層は、複素環化合物であるイミダゾール（ｉｍｉｄａｚｏｌｅ）、アゾール（ａｚｏｌｅ）、チオール（ｔｈｉｏｌ）およびアミン（ａｍｉｎｅ）系からなる群から選択される一つ以上のものである。
【００２１】
第２発明において、前記複素環化合物は、下記化学式１で表されるベンゾイミダゾール誘導体または下記化学式２で表されるベンゾトリアゾール誘導体である。
【００２２】
【化３】
2015072677.tif 000005
ここで、Ｒ１は、アルキル基（ＣｎＨ２ｎ＋１、ｎは、１〜５の整数である。）またはアリール基（Ａｒ−）であり、
【００２３】
【化４】
2015072677.tif 000006
【００２４】
Ｒ２は、水素（Ｈ）またはエステル基（ＣＯＯＣＨ３）であり、Ｒ３は、メチル基（ＣＨ３）またはカルボキシル基（ＣＯＯＨ）である。
【００２５】
第２発明において、前記第２保護層は、アクリル、エポキシ、ウレタン、ポリメチルメタクリレート、ポリカーボネートおよびポリビニルアセテートからなる群から選択される一つ以上のものである。
【００２６】
第１発明において、前記第１保護層が形成された電極パターン上に設けられた接着層をさらに含み、前記ベース基板および接着層を含む側面に第３保護層が形成されている（以下、「第３発明」とする）。
【００２７】
第３発明において、前記第１保護層は、複素環化合物であるイミダゾール（ｉｍｉｄａｚｏｌｅ）、アゾール（ａｚｏｌｅ）、チオール（ｔｈｉｏｌ）およびアミン（ａｍｉｎｅ）系からなる群から選択される一つ以上のものである。
【００２８】
第３発明において、前記複素環化合物は、下記化学式１で表されるベンゾイミダゾール誘導体または下記化学式２で表されるベンゾトリアゾール誘導体である。
【００２９】
【化５】
2015072677.tif 000007
【００３０】
ここで、Ｒ１は、アルキル基（ＣｎＨ２ｎ＋１、ｎは、１〜５の整数である。）またはアリール基（Ａｒ−）であり、
【００３１】
【化６】
2015072677.tif 000008
【００３２】
Ｒ２は、水素（Ｈ）またはエステル基（ＣＯＯＣＨ３）であり、Ｒ３は、メチル基（ＣＨ３）またはカルボキシル基（ＣＯＯＨ）である。
【００３３】
第３発明において、前記第３保護層は、液状のアクリル、エポキシおよびウレタン系からなる群から選択される一つ以上のものである。
【発明の効果】
【００３４】
本発明に係るタッチセンサによれば、金属電極を適用するにあたり、前記金属が水分および腐食に弱いという点を、前記金属上に複素環化合物を含有する第１保護層を形成することで補い、高温多湿条件下でも金属電極の信頼性を具現することができ、経済性の面で有利な効果を奏する。
【図面の簡単な説明】
【００３５】
【図１】本発明の一実施例による第１保護層が形成されたタッチセンサの断面図である。
【図２】本発明の他の実施例による第１保護層および第２保護層が形成されたタッチセンサの断面図である。
【図３】本発明のさらに他の実施例による第１保護層および第３保護層が形成されたタッチセンサの断面図である。
【図４】本発明のさらに他の実施例による第１保護層、第２保護層および第３保護層が形成されたタッチセンサの断面図である。
【図５】電極パターンをなしている金属細線の断面図である。
【発明を実施するための形態】
【００３６】
本発明の目的、特定の長所および新規の特徴は、添付図面に係る以下の詳細な説明および好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００３７】
以下、添付図面を参照して、本発明の好ましい実施例を詳細に説明する。
【００３８】
図１は、本発明の一実施例による第１保護層が形成されたタッチセンサの断面図である。
【００３９】
図１を参照すると、本発明の一実施例によるタッチセンサ１００は、ベース基板１０と、前記ベース基板１０の一面に形成され、金属細線１１ａ、１３ａが互いに交差してなる電極パターン２０と、前記電極パターン２０をなしている金属細線１１ａ、１３ａ上に形成された第１保護層３１（図５参照）と、を含み、前記第１保護層３１は、複素環化合物（ｈｅｔｅｒｏｃｙｃｌｅ  ｃｏｍｐｏｕｎｄ）を含有するものである。
【００４０】
ベース基板１０は、所定強度以上を有する材質であれば特に限定されず、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルフォン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラスまたは強化ガラスなどからなってもよい。
【００４１】
電極パターン２０は、金属細線１１ａ、１３ａが互いに交差してなるメタルメッシュ（ｍｅｔａｌ  ｍｅｓｈ）であってもよく、特に限定されず、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせからなってもよく、経済性および伝導性の面からみて銅（Ｃｕ）を使用することが最も好ましい。前記電極パターン２０は、金属材料を使用する点から水分に弱く、腐食が生じうるという問題点があった。したがって、前記電極パターン２０の水分に対する信頼性低下および腐食などの問題点を、前記電極パターン２０上に第１保護層３１を形成することで防止することができる。
【００４２】
前記第１保護層３１は、複素環化合物からなってもよく、特に限定されず、イミダゾール（ｉｍｉｄａｚｏｌｅ）、アゾール（ａｚｏｌｅ）、チオール（ｔｈｉｏｌ）およびアミン（ａｍｉｎｅ）系からなる群から選択される一つ以上のものであってもよく、特に、下記化学式１で表されるベンゾイミダゾール（ｂｅｎｚｉｍｉｄａｚｏｌｅ）誘導体または下記化学式２で表されるベンゾトリアゾール（ｂｅｎｚｏｔｒｉａｚｏｌｅ）誘導体を適用することが最も好ましい。
【００４３】
【化７】
2015072677.tif 000009
【００４４】
ここで、Ｒ１は、アルキル基（ＣｎＨ２ｎ＋１、ｎは、１〜５の整数である。）またはアリール基（Ａｒ−）であり、
【００４５】
【化８】
2015072677.tif 000010
【００４６】
Ｒ２は、水素（Ｈ）またはエステル基（ＣＯＯＣＨ３）であり、Ｒ３は、メチル基（ＣＨ３）またはカルボキシル基（ＣＯＯＨ）である。
【００４７】
前記化学式１で表されるベンゾイミダゾール誘導体または下記化学式２で表されるベンゾトリアゾール誘導体は、分子内に存在する窒素（Ｎ）原子と、電極パターン２０をなしている金属細線１１ａ、１３ａの金属原子との配位結合により第１保護層３１を形成することができる（図５参照）。
【００４８】
また、前記化学式１で表されるベンゾイミダゾール誘導体から炭素原子が窒素原子でさらに置換された化学式２で表されるベンゾトリアゾール誘導体は、前記ベンゾイミダゾール誘導体に比べて共鳴構造（ｒｅｓｏｎａｎｃｅ）が安定しており、金属との配位結合力が高く、より安定した保護層を形成することができる。したがって、本発明の一実施例によるタッチセンサ１００において、水分および腐食に弱い電極パターン２０をなしている金属細線１１ａ、１３ａ上に複素環化合物を含有する第１保護層３１を形成することで、経済性の面で有利な効果を奏し、高温多湿条件下でも水分および異物などの流入を遮断して、電極パターン２０の信頼性具現を維持することができる。
【００４９】
また、本発明の一実施例によるタッチセンサ１００において、ベース基板１０の一面に第１電極パターン１１を形成し、ベース基板１０の他面に第２電極パターン１３を形成することができる。さらに、第１保護層３１がそれぞれ形成された第１電極パターン１１および第２電極パターン１３上に接着層５０を形成し、一面に形成された接着層５０上にはウィンドウ基板６０を形成することができ、他面に形成された接着層５０上にはディスプレイ部７０を形成することができる。前記接着層５０は、特に限定されず、光学透明接着剤（ＯＣＡ）が好ましい。
【００５０】
前記ウィンドウ基板６０は、強化ガラスなどを使用して、透明性を確保しながら外部からの衝撃からタッチセンサ１００を保護するように形成することができ、その透明性および剛性を鑑みて、様々な材質の基板が当業者によって選択および適用可能なことは言うまでもない。前記ディスプレイ部７０は、データを視覚的に画面に出力する表示装置であって、タッチセンサ１００を介して入力されるユーザの入力による映像出力値を表示する装置である。
【００５１】
また、前記ディスプレイ部７０は、特に限定されず、液晶表示装置（ＬＣＤ）、プラズマディスプレイパネル（ＰＤＰ）、エレクトロルミネセンス（ＥＬ）または陰極線管（ＣＲＴ）を適用することが好ましい。
【００５２】
図２は、本発明の他の実施例による第１保護層および第２保護層が形成されたタッチセンサの断面図である。
【００５３】
図２を参照すると、本発明の他の実施例によるタッチセンサ１００は、ベース基板１０と、前記ベース基板１０の一面に形成され、金属細線１１ａ、１３ａが互いに交差してなる電極パターン２０と、前記電極パターン２０をなしている金属細線１１ａ、１３ａ上に形成された第１保護層３１（図５参照）と、を含み、前記第１保護層３１が形成された電極パターン２０の全面に第２保護層３３が形成されるものである。また、前記第１保護層３１は、複素環化合物を含有することができる。
【００５４】
本発明の他の実施例によるタッチセンサ１００において、電極パターン２０の水分流入および腐食を防止する効果をさらに高めるために、前記第１保護層３１が形成された電極パターン２０の全面に第２保護層３３を形成することができる。
【００５５】
前記第２保護層３３は、特に限定されず、アクリル、エポキシ、ウレタン、ポリメチルメタクリレート、ポリカーボネートおよびポリビニルアセテートからなる群から選択される一つ以上のものであってもよい。
【００５６】
したがって、本発明の他の実施例によるタッチセンサ１００において、水分および腐食に弱い電極パターン２０上に第１保護層３１および第２保護層３３を形成することで、経済性の面で有利な効果を奏し、高温多湿条件下でも水分および異物などの流入を遮断して、電極パターン２０の信頼性具現を維持することができる。
【００５７】
本発明の他の実施例によるタッチセンサ１００において、ベース基板１０の一面に第１電極パターン１１を形成し、ベース基板１０の他面に第２電極パターン１３を形成することができる。また、第１保護層３１がそれぞれ形成された第１電極パターン１１および第２電極パターン１３の全面にそれぞれ第２保護層３３を形成することができる。さらに、前記一面および他面に形成された第２保護層３３上にそれぞれ接着層５０を形成し、一面に形成された接着層５０上にはウィンドウ基板６０を形成し、他面に形成された接着層５０上にはディスプレイ部７０を形成することができる。
【００５８】
本発明の他の実施例によるタッチセンサ１００において、前記ベース基板１０、電極パターン２０、第１保護層３１、接着層５０、ウィンドウ基板６０およびディスプレイ部７０に関する技術的な内容および説明は、本発明の一実施例によるタッチセンサについて詳述したものと実質的に同様であるため、重複する内容は省略する。
【００５９】
図３は、本発明のさらに他の実施例による第１保護層および第３保護層が形成されたタッチセンサの断面図である。
【００６０】
図３を参照すると、本発明のさらに他の実施例によるタッチセンサ１００は、ベース基板１０と、前記ベース基板１０の一面に形成され、金属細線１１ａ、１３ａが互いに交差してなる電極パターン２０と、前記電極パターン２０をなしている金属細線１１ａ、１３ａ上に形成された第１保護層３１（図５参照）と、を含み、前記第１保護層３１が形成された電極パターン２０の全面に接着層５０を形成することができる。さらに、前記ベース基板１０および接着層５０を含む側面に第３保護層３５を形成することができる。なお、前記第１保護層３１は、複素環化合物を含有するものである。
【００６１】
本発明のさらに他の実施例によるタッチセンサ１００において、電極パターン２０の水分流入および腐食を防止する効果をさらに高めるために、前記ベース基板１０および接着層５０を含む側面に第３保護層３５を形成してもよい。
【００６２】
前記第３保護層３５は、特に限定されず、液状のアクリル、エポキシおよびウレタン系からなる群から選択される一つ以上のものであってもよい。前記接着層５０は、光学透明接着剤（ＯＣＡ）を使用することが好ましく、前記接着層５０は、多孔性の材質からなるため、水分または外部から流入される異物などを吸収する傾向がある。そのため、前記ベース基板１０および接着層５０を含む側面に第３保護層３５を形成することで、水分流入および電極パターン２０の腐食を防止し、外部から流入される異物を遮断する効果をさらに高めることができる。
【００６３】
したがって、本発明のさらに他の実施例によるタッチセンサ１００において、水分および腐食に弱い電極パターン２０上に第１保護層３１を形成し、ベース基板１０および接着層５０を含む側面に第３保護層３５を形成することで、経済性の面で有利な効果を奏し、高温多湿条件下でも水分および異物などの流入を遮断して、電極パターン２０の信頼性具現を維持することができる。
【００６４】
本発明のさらに他の実施例によるタッチセンサ１００において、ベース基板１０の一面に第１電極パターン１１を形成し、ベース基板１０の他面に第２電極パターン１３を形成することができる。また、第１保護層３１がそれぞれ形成された第１電極パターン１１および第２電極パターン１３の全面にそれぞれ接着層５０を形成し、前記ベース基板１０および接着層５０を含む側面に第３保護層３５を形成することができる。また、一面に形成された接着層５０上にはウィンドウ基板６０を形成し、他面に形成された接着層５０上にはディスプレイ部７０を形成することができる。
【００６５】
本発明のさらに他の実施例によるタッチセンサ１００において、前記ベース基板１０、電極パターン２０、第１保護層３１、接着層５０、ウィンドウ基板６０およびディスプレイ部７０に関する技術的な内容および説明は、本発明の一実施例によるタッチセンサについて詳述したものと実質的に同様であるため、重複する内容は省略する。
【００６６】
図４は、本発明のさらに他の実施例による第１保護層、第２保護層および第３保護層が形成されたタッチセンサの断面図である。
【００６７】
図４を参照すると、本発明のさらに他の実施例によるタッチセンサ１００は、本発明の図１、図２および図３に示された第１保護層３１、第２保護層３３および第３保護層３５をすべて含むものである。
【００６８】
また、本発明のさらに他の実施例によるタッチセンサ１００において、ベース基板１０の一面に第１電極パターン１１を形成し、ベース基板１０の他面に第２電極パターン１３を形成することができる。これにより、前記一面および他面にそれぞれ第１保護層３１および第２保護層３３を形成することができ、側面に第３保護層３５を形成することができる。したがって、電極パターン２０の水分流入および腐食を防止することができ、外部から流入される異物などを予め遮断することができる。これにより、前記電極パターン２０の信頼性をより向上させることができる。
【００６９】
本発明の図４に示されたさらに他の実施例によるタッチセンサ１００において、前記ベース基板１０、電極パターン２０、第１保護層３１、第２保護層３３、第３保護層３５、接着層５０、ウィンドウ基板６０およびディスプレイ部７０に関する技術的な内容および説明は、本発明の図１、図２および図３に示されたタッチセンサ１００について詳述したものと実施的に同様であるため、重複する内容は省略する。
【００７０】
図５は、電極パターンをなしている金属細線の断面図である。
【００７１】
図５を参照すると、金属細線１１ａ、１３ａが互いに交差してなる電極パターン２０を示し、Ａ〜Ａ´区間での電極パターンを示す断面図である。
【００７２】
本発明に係るタッチセンサ１００において、電極パターン２０をなしている金属細線１１ａ、１３ａが水分および腐食に弱いため、複素環化合物を含有している第１保護層３１を前記金属細線１１ａ、１３ａ上に形成することができる。
【００７３】
これにより、本発明に係るタッチセンサ１００は、金属からなる電極パターン２０を適用するにあたり、前記金属が水分および腐食に弱いという点を、前記金属上に複素環化合物を含有する第１保護層３１を形成することで補い、高温多湿条件下でも水分流入および腐食を防止して、電極パターン２０の信頼性具現を維持することができる。
【００７４】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００７５】
本発明の単純な変形乃至変更はいずれも本発明の領域に属するものであり、本発明の具体的な保護範囲は添付の特許請求の範囲により明確になるであろう。
【産業上の利用可能性】
【００７６】
本発明は、タッチセンサに適用可能である。
【符号の説明】
【００７７】
１０  ベース基板
１１  第１電極パターン
１３  第２電極パターン
１１ａ、１３ａ  金属細線
２０  電極パターン
３１  第１保護層
３３  第２保護層
３５  第３保護層
５０  接着層
６０  ウィンドウ基板
７０  ディスプレイ部
１００  タッチセンサ
【図１】
2015072677.tif 000017
【図２】
2015072677.tif 000018
【図３】
2015072677.tif 000019
【図４】
2015072677.tif 000020
【図５】
2015072677.tif 000021